(57)【特許請求の範囲】
【請求項１】
測定器本体と、該測定器本体に対し着脱自在に装着される１以上の入力アンプユニットとを少なくとも備える測定器において、
前面側に開口部を有する樹脂ケーシング内にアンプ基板を収容してなるアンプ本体部と、測定器本体へのねじ止めを自在とした通孔を備える導電性のインサート金具を有して樹脂ケーシングの前記開口部に覆設される樹脂パネル部とで前記入力アンプユニットを形成し、樹脂パネル部は、インサート金具の位置する部位を含む背面側に前記通孔との対向面にねじの挿通を許す透孔を有し、該透孔の下方側にて樹脂パネル部に固定され、かつ、前記アンプ基板との間に接地ルートを設けた導電性接続板を備え、入力アンプユニットは、樹脂パネル部の通孔を介して測定器本体のシャーシ部にねじを螺着して導電性接続板とインサート金具とを密接させることにより、アンプ基板と導電性接続板との間に設けた前記接地ルートをシャーシ部まで導いて測定器本体に装着したことを特徴とする測定器における入力アンプユニットの接地構造。
【請求項２】
前記導電性接続板は、その背面側の面高を樹脂パネル部の背面側の面高より高くして樹脂パネル部に配設したことを特徴とする請求項１記載の測定器における入力アンプユニットの接地構造。
【発明の詳細な説明】
【０００１】
【発明の属する技術分野】
本発明は、測定器本体に入力アンプユニットを装着した際により好ましい接地ルートを確保することができるようにした測定器における入力アンプユニットの接地構造に関する。
【０００２】
【従来の技術】
波形記録計等の測定器においては、図３に示すように測定器本体２と、該測定器本体２に測定チャンネルの数に応じて設けられている被装着部３に対し着脱を自在にして装着される入力アンプユニット４とで測定器１の全体が形成されているものもある。
【０００３】
この場合、入力アンプユニット４は、樹脂ケーシング５の前面側に樹脂パネル部６が覆設されており、該樹脂パネル部６の上下両端部に配設されている通孔６ａを介して測定器本体２の側にねじ７により止着できるようになっている。
【０００４】
また、入力アンプユニット４のそれぞれは、測定器本体２の被装着部３に装着した際に両者間に接地ルートを形成することができる図示しない内部構造を備えており、該接地ルートを設けることにより装着後の各入力アンプユニット４の間で電位的な偏差が生ずるのを少なくしたり、測定系に入り込むノイズや誘導電圧などの発生を防止するようにしている。
【０００５】
【発明が解決しようとする課題】
しかし、上記従来例のように測定器本体２と入力アンプユニット４との間で内部構造的に接地ルートを形成しているに過ぎないような場合には、装着後の各入力アンプユニット４の間に発生する電位的な偏差の発生を必ずしも十分には少なくすることができず、入力アンプユニット４，４が相互に干渉し合って安定した測定を行うことができなくなるなどの不都合があった。
【０００６】
本発明は従来技術にみられた上記課題に鑑み、測定器本体に入力アンプユニットを装着した際により好ましい接地ルートを別途に確保することができるようにした測定器における入力アンプユニットの接地構造を提供することにその目的がある。
【０００７】
【課題を解決するための手段】
本発明は上記目的を達成すべくなされたものであり、その構成上の特徴は、測定器本体と、該測定器本体に対し着脱自在に装着される１以上の入力アンプユニットとを少なくとも備える測定器において、前面側に開口部を有する樹脂ケーシング内にアンプ基板を収容してなるアンプ本体部と、測定器本体へのねじ止めを自在とした通孔を備える導電性のインサート金具を有して樹脂ケーシングの前記開口部に覆設される樹脂パネル部とで前記入力アンプユニットを形成し、樹脂パネル部は、インサート金具の位置する部位を含む背面側に前記通孔との対向面にねじの挿通を許す透孔を有し、該透孔の下方側にて樹脂パネル部に固定され、かつ、前記アンプ基板との間に接地ルートを設けた導電性接続板を備え、入力アンプユニットは、樹脂パネル部の通孔を介して測定器本体のシャーシ部にねじを螺着して導電性接続板とインサート金具とを密接させることにより、アンプ基板と導電性接続板との間に設けた前記接地ルートをシャーシ部まで導いて測定器本体に装着したことにある。
【０００８】
【発明の実施の形態】
図２は、図３に示す測定器１における入力アンプユニット４の樹脂パネル部６の側に相当する部位の本発明の要部構造を示す縦断面図であり、図１は、図２において一点鎖線の円形囲繞枠内に位置する部分についての測定器本体に対する入力アンプユニットの装着構造を示す要部拡大断面図である。
【０００９】
これらの図によれば、測定器１１の全体は、表示部のほか、操作用抓みや押しボタンなどを備える樹脂ケース本体部１３と、該樹脂ケース本体部１３内に図示しない必要部品等を配設するために用いられるシャーシ部１４とからなる測定器本体１２と、該測定器本体１２に測定チャンネルの数に応じて設けられている被装着部１５に対し着脱を自在にして装着される１以上の入力アンプユニット２１とを少なくとも備えて構成されている。
【００１０】
このうち、入力アンプユニット２１は、前面側に開口部２３ａを有する樹脂ケーシング２３内にアンプ基板２４を収容してなるアンプ本体部２２と、樹脂ケーシング２３の開口部２３ａの側を覆う樹脂パネル部２５とで形成されている。
【００１１】
この場合、樹脂パネル部２５は、測定器本体１２のシャーシ部１４に対しねじ３１を用いて止着するための通孔２６ａを有して樹脂ケース本体部１３の前面１３ａと当接する導電性のインサート金具２６をその上端部に備えて形成されている。
【００１２】
さらに、樹脂パネル部２５は、図２に示すようにインサート金具２６を含む背面部位に通孔２６ａとの対向面にねじ３１の挿通を許す透孔２９を有し、該透孔２９の下方側にてカシメ部２７を介して樹脂パネル部２５に固定され、かつ、アンプ基板２４のグランド側へとリード線３０を介して接地された導電性接続板２８を備えている。
【００１３】
また、導電性接続板２８は、その背面２８ａ側の面高が樹脂パネル部２５の背面２５ａ側の面高と同等もしくはそれ以上となるようにして樹脂パネル部２５に配設されている。
【００１４】
しかも、入力アンプユニット２１は、測定器本体１２の被装着部１５内に樹脂ケーシング２３を納めた際、樹脂ケース本体部１３の前面１３ａに当接する樹脂パネル部２５のインサート金具２６に対し、その通孔２６ａからシャーシ部１４の螺孔１４ａに向けてねじ３１を緊締螺着することにより、測定器本体１２の側にその着脱を自在にして装着されている。
【００１５】
このように、測定器本体１２のシャーシ部１４の螺孔１４ａにねじ３１を螺着することにより、樹脂パネル部２５のインサート金具２６と対面する位置関係にある導電性接続板２８は、樹脂ケース本体部１３の前面１３ａ側へと押圧され、結果的にインサート金具２６と密接するに至るので、アンプ基板２４と導電性接続板２８との間に設けられている接地ルートを導電性接続板２８→インサート金具２６→ねじ３１→シャーシ部１４へと導いてやることができる。
【００１６】
本発明はこのようにして構成されているので、測定器本体１２の被装着部１５に対し１以上の入力アンプユニット２１を着脱自在にして装着することにより、測定器１１として使用することができる。
【００１７】
具体的には、入力アンプユニット２１のアンプ本体部２２の側を被装着部１５内にセットし、樹脂パネル部２５の上端部が樹脂ケース本体部１３の前面１３ａに当接するような位置関係のもとで、ねじ３１をインサート金具２６の通孔２６ａから導電性接続板２８の透孔２９へと送り込み、シャーシ部１４の螺孔１４ａに緊締螺着することにより、入力アンプユニット２１を測定器本体１２の側に装着することができる。
【００１８】
しかも、このようにねじ３１をシャーシ部１４の螺孔１４ａに緊締螺着することにより、樹脂ケース本体部１３の前面１３ａとインサート金具２６との間に位置する導電性接続板２８は、インサート金具２６と圧接するに至る結果、ねじ３１を介してシャーシ部１４との間に、アンプ基板２４→導電性接続板２８→インサート金具２６→ねじ３１→シャーシ部１４という接地ルートが形成されることになる。
【００１９】
したがって、入力アンプユニット２１を測定器本体１２に装着した後は、従来のように測定器本体と入力アンプユニットとの間に形成される内部構造的な接地ルートとは別系統の接地ルートを新たに形成して接地系統を強化することができる。
【００２０】
このため、測定器本体１２の被装着部１５に対し１以上の入力アンプユニット２１を装着しても、各入力アンプユニット２１の間に発生する電位的な偏差の発生を確実に抑制して入力アンプユニット２１，２１が相互に干渉し合うといったような好ましくない現象を排除することができるので、安定した測定を行うことができることになる。
【００２１】
なお、導電性接続板２８がその背面２８ａ側の面高を樹脂パネル部２５の背面２５ａ側の面高よりも高くなるようにして樹脂パネル部２５に配設されている場合には、樹脂ケース本体部１３の前面１３ａに対する導電性接続板２８を圧接力を増すことができるので、結果的にインサート金具２６とも確実に接触させることができ、アンプ基板２４からシャーシ部１４へと至る接地ルートをより確実に形成することができる。
【００２２】
【発明の効果】
以上述べたように本発明によれば、測定器本体に１以上の入力アンプユニットをねじを介して装着した際、該ねじを介してアンプ基板からシャーシ部へと至る接地ルートを新たに形成して接地系統を強化することができるので、各入力アンプユニットの間に発生する電位的な偏差の発生を確実に抑制して入力アンプユニットが相互に干渉し合うといったような好ましくない現象を排除して安定した測定を行うことができる。
【００２３】
また、導電性接続板がその背面側の面高を樹脂パネル部の背面側の面高よりも高くなるようにして樹脂パネル部に配設されている場合には、樹脂ケース本体部の前面に対する導電性接続板の圧接力を増してインサート金具への接触圧もそれだけ高めることができるので、アンプ基板からシャーシ部へと至る接地ルートをより確実に形成することができる。
【図面の簡単な説明】
【図１】本発明の要部構造を図２の円形囲繞部分に対応させて示す説明図。
【図２】本発明を構成する入力アンプユニットの要部縦断面図。
【図３】入力アンプユニットを備える測定器の一例を示す要部斜視図。
【符号の説明】
１１  測定器
１２  測定器本体
１３  樹脂ケース本体部
１４  シャーシ部
１５  被装着部
２１  入力アンプユニット
２２  アンプ本体部
２３  樹脂ケーシング
２３ａ  開口部
２４  アンプ基板
２５  樹脂パネル部
２５ａ  背面
２６  インサート金具
２６ａ  通孔
２７  カシメ部
２８  導電性接続板
２８ａ  背面
２９  透孔
３０  リード線
３１  ねじ
【図１】
0003756581.tif 000002
【図２】
0003756581.tif 000003
【図３】
0003756581.tif 000004